(57)【要約】【課題】  住宅地や造成工事の際に設置され、不純物を含んだ雨水を貯留するのに使用される雨水貯留槽１において、雨水貯留槽内１の内部に不純物が堆積しにくく、流出管３から流れ出る雨水中の不純物を少なくできるような雨水貯留槽１の実現を目的とする。【解決手段】  貯留した雨水を雨水貯留槽１内で攪拌する攪拌装置５を備えたことを特徴とする、また、攪拌装置５で攪拌した雨水を雨水貯留槽１外へ強制的に排出する排水装置６を備えたことを特徴とする。【選択図】  図１
2005179933.tif 000002
【特許請求の範囲】
【請求項１】
雨水を貯留する雨水貯留槽であって、前記貯留した雨水を前記雨水貯留槽内で攪拌する攪拌装置を備えたことを特徴とする雨水貯留槽。
【請求項２】
前記雨水貯留槽は、前記攪拌装置で攪拌した雨水を前記雨水貯留槽外へ強制的に排出する排水装置を備えたことを特徴とする請求項１記載の雨水貯留槽。
【請求項３】
前記雨水貯留槽内に、複数の容器状部材が縦横かつ上下に配置して充填されていることを特徴とする請求項１又は請求項２記載の雨水貯留槽。
【請求項４】
前記排水装置から排水された雨水を地表へ散水することを特徴とする請求項２又は請求項３記載の雨水貯留槽。
【発明の詳細な説明】
【技術分野】
【０００１】
本発明は、住宅地や造成工事の際に設置される雨水貯留槽に関するものである。本発明は特に、雨水貯留槽の内部に泥粒等の不純物が堆積しにくい雨水貯留槽に関するものである。
【背景技術】
【０００２】
住宅地においては一般的に、露出した地面が少ないので、家屋、駐車場、道路などに降った雨水は地中に浸入することは少なく、大雨時には雨水が河川に集中する恐れがある。また、造成工事を行なう際は、樹木や草が除かれ、地面がむき出しとなるため、造成中に大雨が降ると、造成地が濁流で覆われ、むき出しとなった地面から土が流れ出て環境が破壊される恐れがある。
【０００３】
こういったことから、図４のように例えば住宅地の駐車場などの地下部分の地面に穴を掘って雨水貯留槽１を埋設し、流入管２から雨水を取り入れて雨水貯留槽１に一次貯溜することが行なわれている。雨水貯留槽１に一次貯留した雨水は、流出管３から河川等へ徐々に放流したり、雨水貯留槽１の底部から地下へ徐々に浸透させたりすることによって大量の雨水が河川に集中するのを防止している。図４において、４は雨水貯留槽１に流入する雨水の中の不純物を取り除くために雨水貯留槽１へ接続される流入管２の直前に接続される泥溜枡４である。
【０００４】
上記雨水貯留槽１は、雨水を一次貯留または一次貯留した雨水を浸透する形式のものであるが、その他に、建築物の屋根や道路などに降った雨を集水して長期貯留しておき、その貯留水を防火用水、清掃水、トイレ、スプリンクラー用の水などに利用するために雨水を貯留する形式の雨水貯留槽もある。
【０００５】
上記雨水貯留槽１には、図４（ａ）のような雨水貯留槽１の上面に被覆を施したものと図４（ｂ）のように雨水貯留槽１の上面が開放されたものがある。さらに、雨水貯留槽１の施工が簡単なものとして特許文献１に記載されているように、雨水貯留槽内に複数の容器状部材を縦横かつ上下に配置して充填し、被覆を施したもの、特許文献２に記載されているように、雨水貯留槽内に複数の区画に仕切った区画枠体を縦横かつ上下に連結して充填したものもある。
【０００６】
【特許文献１】特公平４−２６６４８号公報
【特許文献２】特公平４−３５５８０号公報
【発明の開示】
【発明が解決しようとする課題】
【０００７】
雨水貯留槽１は通常、図４のように雨水貯留槽１へ接続される流入管２の直前に泥溜枡４を設け、流入管２から流入し、雨水貯留槽１に一時貯留される雨水中の泥、ゴミ等の不純物を取り除くようにしている。しかし、赤土等のように粒径が小さい不純物が雨水中に含まれる場合では、泥溜枡４でもってしても赤土等の不純物を取り除き切れない場合がある。
【０００８】
そのため、このような場合、赤土等の不純物が雨水貯留槽１の内部に堆積してしまうという問題があった。特に、特許文献１又は特許文献２に記載されているような雨水貯留槽１内に複数の容器状部材を縦横かつ上下に配置して充填したもの、複数の区画に仕切った区画枠体を縦横かつ上下に連結して充填したものは、不純物が雨水貯留槽１の内部に堆積すると、清掃が困難になるという問題がある。すなわち、雨水貯留槽１内に容器状部材や区画枠体が充填されているため、清掃作業のために雨水貯留槽１内に立ち入る障害となるためである。さらに、雨水貯留槽１が雨水を長期貯留する目的の形式である場合には、貯留水が腐敗してしまうという問題もあった。
【０００９】
そこで本発明の目的は、不純物を含んだ雨水を貯留するのに使用される雨水貯留槽において、内部に不純物が堆積しにくい雨水貯留槽を実現し、上記問題を解決することを目的とする。
【課題を解決するための手段】
【００１０】
請求項１に係る雨水貯留槽は、貯留した雨水を前記雨水貯留槽内で攪拌する攪拌装置を備えたことを特徴とする。
【００１１】
請求項２に係る雨水貯留槽は、請求項１に係る雨水貯留槽において、前記攪拌装置で攪拌した雨水を前記雨水貯留槽外へ強制的に排出する排水装置を備えたことを特徴とする。
【００１２】
請求項３に係る雨水貯留槽は、請求項１又は請求項２に係る雨水貯留槽において、前記雨水貯留槽内に、複数の容器状部材が縦横かつ上下に配置して充填されていることを特徴とする。
【００１３】
請求項４に係る雨水貯留槽は、請求項２又は請求項３に係る雨水貯留槽において、前記排水装置から排水された雨水を地表へ散水することを特徴とする。
【発明の効果】
【００１４】
請求項１の発明に係る雨水貯留槽は、雨水貯留槽内に攪拌装置が設けられているので、雨水貯留槽に流入した雨水を攪拌することができる。そのため、雨水に含まれる不純物は雨水と共に攪拌され、雨水と共に流出するので、雨水貯留槽の内部に不純物が堆積しにくい。また、雨水貯留槽内の雨水は攪拌されることになるので、貯留した雨水が腐敗しにくい。
【００１５】
請求項２の発明に係る雨水貯留槽は、攪拌した雨水を雨水貯留槽外へ強制的に排出する排水装置を備えているので、雨水貯留槽に流入した不純物を効率よく雨水貯留槽外へ排出させることができる。
【００１６】
請求項３の発明に係る雨水貯留槽は、雨水貯留槽内に複数の容器状部材が縦横かつ上下に配置して充填されているが、雨水貯留槽内には攪拌装置、又は攪拌装置と排水装置が設けられているので、雨水に含まれる不純物は雨水と共に攪拌され、雨水と共に流出又は効率よく雨水貯留槽外へ排出されるので、雨水貯留槽内部の容器状部材に不純物が堆積しにくい。
【００１７】
請求項４の発明に係る雨水貯留槽は、貯留された不純物を含む雨水を攪拌し、攪拌した雨水を強制的に排水装置によって雨水貯留槽外の元の環境である地表に散水する。そのため、容器状部材に不純物が堆積しにくいとともに、不純物が特定の地域以外に流出し、環境が破壊される恐れを低減することができる。
【発明を実施するための最良の形態】
【００１８】
本発明に係る雨水貯留槽の実施の形態について図１を参照しながら具体的に説明する。本発明に係る雨水貯留槽１は、雨水を雨水貯留槽１へ流入させるための流入管２、雨水貯留槽１に一時貯留した雨水を排出するための流出管３を備えている。
【００１９】
本発明に係る雨水貯留槽１内には、貯留した雨水を雨水貯留槽１内で攪拌する攪拌装置５を備えている。攪拌装置５が備えられているので、流入管２から雨水貯留槽１に流入した雨水を攪拌することができる。そのため、雨水に含まれる不純物は雨水と共に流出するので、雨水貯留槽１の内部に不純物が堆積しにくい。攪拌装置５としては例えば、プロペラをモータで回転させるものを適用することができる。
【００２０】
図２は、本発明に係る雨水貯留槽の別の実施の形態を示したものである。この雨水貯留槽１は、流入管２、流出管３を組み合わせて使用し、攪拌装置５を備えた点で図１の実施の形態と共通であるが、攪拌装置５で攪拌した雨水を雨水貯留槽１外へ強制的に排出するための排水装置６を備えている点で異なる。排水装置６には排水管７が接続され、攪拌装置５で攪拌した雨水を強制的に雨水貯留槽１外へ導く。なお、排水装置６は電動ポンプなどを適用することができる。
【００２１】
図２の雨水貯留槽１において、攪拌装置５が備えられているので、流入管２から雨水貯留槽１に流入した雨水は攪拌されることになる。また、排水装置６が備えられているので、雨水と共に攪拌され、雨水中に漂っている不純物を排水管７を通して効率よく雨水貯留槽１外へ排出することができる。これにより、雨水貯留槽１に流入した不純物はいつまでも雨水貯留槽１内にとどまることはないので雨水貯留槽１の内部に不純物が堆積しにくくなる。
【００２２】
図３は、本発明に係る雨水貯留槽のさらに別の実施の形態を示すものである。この雨水貯留槽１は、流入管２、流出管３を組み合わせて使用し、攪拌装置５と、排水管７と接続する排水装置６を備えた点で図２の実施の形態と共通であるが、以下の点で相違点している。
【００２３】
まず、この実施の形態では、雨水貯留槽１へ接続される流入管２の直前に泥溜枡４が設けられている。そのため、雨水中の不純物の多くを泥溜枡４によって除去することができる。なお、雨水中に赤土等のように粒径が小さい不純物を含まれている場合には、これを泥溜枡４では除去しきれず、雨水貯留槽１へ流入する場合がある。しかし、攪拌装置５及び排水装置６の作用により、不純物は雨水貯留槽１内で雨水と共に攪拌され、また、排出管７を通して雨水貯留槽１外へ排出される。そのため、こういった粒径の小さい不純物が雨水貯留槽１の内部に堆積するのを防止することができる。
【００２４】
また、この実施の形態では、排水装置６によって強制的に排出された不純物を含む雨水を、元の環境である地表にスプリンクラー等の散水装置８を用いて散水し、元の環境へ回収している。そのため、不純物が特定の地域以外に流出し、環境が破壊される恐れを低減することができる。
【００２５】
その他、排水装置６によって強制的に排出された不純物を含む雨水を、元の環境に排出できない場合には、その雨水を高分子凝集剤や電気分解による強制沈殿方法により、雨水中の不純物を除去した後、放流等をするようにしてもよい。
【００２６】
図１〜図３の実施の形態では、雨水貯留槽１の内部はがらんどうとなっているが、こういったものに限られることはなく、特許文献１に記載されているように、雨水貯留槽１内に複数の容器状部材を縦横かつ上下に配置して充填し被覆を施した雨水貯留槽であっても良い。容器状部材を雨水貯留槽内に充填した雨水貯留槽は内部ががらんどうとなっている雨水貯留槽１よりも不純物が堆積しやすいが、本発明の実施の形態と組み合わせることにより、不純物が堆積しにくくなる。
【００２７】
また、図１〜図３の実施の形態では、雨水貯留槽１の上面に被覆を施したものであるが、図４（ｂ）のように雨水貯留槽１の上面が開放されたものにも適用できる。
【図面の簡単な説明】
【００２８】
【図１】本発明に係る雨水貯留槽の実施の形態を示す説明図である。
【図２】本発明に係る雨水貯留槽の別の実施の形態を示す説明図である。
【図３】本発明に係る雨水貯留槽のさらに別の実施の形態を示す説明図である。
【図４】雨水貯留槽の説明図である。（ａ）は雨水貯留槽の上面に被覆を施したものであり、（ｂ）は雨水貯留槽の上面が開放されたものである。
【符号の説明】
【００２９】
１  雨水貯留槽
２  流入管
３  流出管
４  泥溜枡
５  攪拌装置
６  排水装置
７  排水管
８  散水装置
【図１】
2005179933.tif 000003
【図２】
2005179933.tif 000004
【図３】
2005179933.tif 000005
【図４】
2005179933.tif 000006